(57)【要約】【課題】原稿の特性に応じた適切な画像データをイメージスキャナーを用いて生成する。【解決手段】イメージスキャナーによって原稿の第一領域から第一条件で第一画像データを読み取らせる第一読み取り制御手段と、前記イメージスキャナーによって読み取られた前記第一画像データを解析する解析手段と、前記第一画像データの解析結果に基づいて前記第一条件と異なる第二条件を設定するとともに前記イメージスキャナーによって前記原稿の前記第一領域の外側にある第二領域から前記第二条件で第二画像データを読み取らせる第二読み取り制御手段と、前記第一画像データと前記第二画像データとを合成することにより第三画像データを生成する合成手段と、を備えるスキャン画像生成装置。【選択図】図３
2011135257.tif 000002
【特許請求の範囲】
【請求項１】
イメージスキャナーによって原稿の第一領域から第一条件で第一画像データを読み取ら
せる第一読み取り制御手段と、
前記イメージスキャナーによって読み取られた前記第一画像データを解析する解析手段
と、
前記第一画像データの解析結果に基づいて前記第一条件と異なる第二条件を設定すると
ともに前記イメージスキャナーによって前記原稿の前記第一領域の外側にある第二領域か
ら前記第二条件で第二画像データを読み取らせる第二読み取り制御手段と、
前記第一画像データと前記第二画像データとを合成することにより第三画像データを生
成する合成手段と、
を備えるスキャン画像生成装置。
【請求項２】
前記原稿は定型の１ページからなり、
前記第一読み取り制御手段は、前記原稿の重心を対称点とする点対称な領域を前記第一
領域として設定する、
請求項１に記載のスキャン画像生成装置。
【請求項３】
イメージスキャナーによって原稿の第一領域から第一条件で第一画像データを読み取ら
せ、
前記イメージスキャナーによって読み取られた前記第一画像データを解析し、
前記第一画像データの解析結果に基づいて前記第一条件と異なる第二条件を設定すると
ともに前記イメージスキャナーによって前記原稿の前記第一領域の外側にある第二領域か
ら前記第二条件で第二画像データを読み取らせ、
前記第一画像データと前記第二画像データとを合成することにより第三画像データを生
成する、
ことを含むスキャン画像生成方法。
【請求項４】
イメージスキャナーによって原稿の第一領域から第一条件で第一画像データを読み取ら
せる第一読み取り制御手段と、
前記イメージスキャナーによって読み取られた前記第一画像データを解析する解析手段
と、
前記第一画像データの解析結果に基づいて前記第一条件と異なる第二条件を設定すると
ともに前記イメージスキャナーによって前記原稿の前記第一領域の外側にある第二領域か
ら前記第二条件で第二画像データを読み取らせる第二読み取り制御手段と、
前記第一画像データと前記第二画像データとを合成することにより第三画像データを生
成する合成手段と、
してコンピューターを機能させるスキャン画像生成プログラム。
【発明の詳細な説明】
【技術分野】
【０００１】
本発明は、スキャン画像生成装置、方法およびプログラムに関する。
【背景技術】
【０００２】
特許文献１には、イメージスキャナーとデータサーバーとが離れて設置されている場合
にスキャン作業の負担を軽減するための技術が開示されている。また従来、イメージスキ
ャナーによって読み取られた画像データを処理する作業を軽減するための技術として、Ｏ
ＭＲ（Optical Mark Recognition）やＯＣＲ（Optical Character Recognition）が知ら
れている（例えば特許文献２参照）。
【先行技術文献】
【特許文献】
【０００３】
【特許文献１】特開２００７−２５１８４９号公報
【特許文献２】特開２００８−１６７３１４号公報
【発明の概要】
【発明が解決しようとする課題】
【０００４】
帳票や答案紙といった原稿をイメージスキャナーで読み取り、画像データを遠隔地のサ
ーバーに送信して処理する場合、作業効率を上げるためには、読み取り濃度、二値化閾値
等の読み取り条件が適切に設定された状態で読み取られた画像データだけがサーバーに送
信されなければならない。しかし、原稿に印刷されたバーコードや文字と鉛筆で手書きさ
れた文字とが混在するような場合、印刷された要素と手書きされた要素とが両方適切な条
件で読み取られない可能性は高い。例えば、印刷されたバーコードや文字がつぶれないよ
うに薄く読み取ると、鉛筆で手書きされた文字が判読できないほど薄く読み取られる可能
性がある。また逆に、鉛筆で手書きされた文字を判読できるように濃く読み取ると、ＯＭ
ＲやＯＣＲの認識率が落ちるほどバーコードや文字がつぶれて読み取られる可能性がある
。
【０００５】
本発明は、原稿の特性に応じた適切な画像データをイメージスキャナーを用いて生成す
ることを目的とする。
【課題を解決するための手段】
【０００６】
（１）上記目的を達成するためのスキャン画像生成装置は、イメージスキャナーによっ
て原稿の第一領域から第一条件で第一画像データを読み取らせる第一読み取り制御手段と
、前記イメージスキャナーによって読み取られた前記第一画像データを解析する解析手段
と、前記第一画像データの解析結果に基づいて前記第一条件と異なる第二条件を設定する
とともに前記イメージスキャナーによって前記原稿の前記第一領域の外側にある第二領域
から前記第二条件で第二画像データを読み取らせる第二読み取り制御手段と、前記第一画
像データと前記第二画像データとを合成することにより第三画像データを生成する合成手
段と、を備える。
原稿の第一領域の外側にある第二領域の特性を原稿の第一領域も有している場合、第一
領域から読み取られた第一画像データを解析することによって同じ原稿の第二領域から第
二画像データを適切に読み取るための適切な第二条件を設定することができる。第一領域
から第一画像データを読み取るための第一条件は、原稿が予め決められた定型原稿であれ
ば原稿の第一領域のうち第二領域と異なる特性を有する部分の特性に応じて予め適切に設
定しておいてもよい。この場合、第一領域の第二領域と異なる特性を有する部分について
はその特性に応じた第一画像データが読み取られるともに、第二領域の特性に応じた第二
画像データが読み取られる。このような第一画像データと第二画像データとを合成するこ
とによって原稿の特性に応じた適切な第三画像データを生成することができる。また、原
稿が不定型であれば一般的な原稿の特性に応じて第一条件を予め設定しておいてもよい。
この場合、第一領域と第二領域とからそれぞれ読み取られた第一画像データと第二画像デ
ータとを合成することによって、少なくとも一般的な原稿については適切な第三画像デー
タを生成できるとともに第二領域についてはさらに適切な第三画像データを生成できる。
そして原稿が一般的でない場合であっても、少なくとも原稿の第二領域の特性に応じた第
三画像データを生成することができる。
【０００７】
（２）上記目的を達成するためのスキャン画像生成装置において、前記原稿は定型の１
ページからなり、前記第一読み取り制御手段は、前記原稿の重心を対称点とする点対称な
領域を前記第一領域として設定してもよい。
例えばイメージスキャナーの原稿台ガラスに対して原稿を載置する向きが変わると、原
稿から画像データが読み取られる順序が変わる。定型の１ページからなる原稿の重心を対
称点とする点対称な領域に第一領域を設定することにより、原稿から第一画像データを読
み取る順序に関わらず、第二条件を設定するために解析されるべき領域を解析することが
できる。すなわち、原稿をイメージスキャナーに読み取らせる向きに関わらず、適切な第
二条件で第二画像データを適切に読み取ることができる。
【０００８】
なお、本発明は、上記したスキャン画像生成装置の他にも、スキャン画像生成方法やス
キャン画像生成プログラムの発明としてもそのプログラムの記録媒体としても特定可能で
ある。むろん、その記録媒体は、磁気記録媒体であってもよいし光磁気記録媒体であって
もよいし、今後開発されるいかなる記録媒体においても全く同様に考えることができる。
また、請求項に記載された動作の順序は、技術的な阻害要因がない限りにおいて記載順に
限定されず、同時に実行されても良いし、記載順の逆順に実行されても良いし、連続した
順序で実行されなくても良い。
【図面の簡単な説明】
【０００９】
【図１】本発明の実施形態にかかるブロック図である。
【図２】本発明の実施形態にかかるブロック図である
【図３】本発明の実施形態にかかるシーケンスチャートである。
【図４】本発明の実施形態にかかる平面図である。
【図５】本発明の実施形態にかかる画像データの内容を示す図である。
【図６】本発明の実施形態にかかる画像データの内容を示す図である。
【図７】本発明の実施形態にかかる画像データの内容を示す図である。
【図８】図８Ａおよび図８Ｂは本発明の実施形態にかかる平面図である。
【発明を実施するための形態】
【００１０】
以下、添付図面を参照しながら本発明の実施形態を説明する。各図において対応する構
成要素には同一の符号が付され、重複する説明は省略される。
１．概要
はじめに本発明によるスキャン画像生成装置の一実施形態としてのＰＣ（personal com
puter）をクライアント端末とする画像送信システムの全体構成について説明する。この
画像送信システムは、インターネット通信回線または電話回線を介して予め決められた情
報を遠隔地間で送受信するために構成される。予め決められた少なくとも一部の情報は遠
隔地間において画像データとして送受信される。したがってこの画像送信システムは、図
１に示すように、原稿から画像データを読み取るためのイメージスキャナー１３およびフ
ァクシミリ２４と、イメージスキャナー１３にＵＳＢやＬＡＮを介して接続されたクライ
アントＰＣ１と、クライアントＰＣ１にインターネット通信回線２０を介して接続された
ポスティングサーバー２１と、ポスティングサーバー２１に専用回線を介して接続されフ
ァクシミリ２４に電話回線２５を介して接続されたゲートウェイ２２と、ゲートウェイ２
２にＬＡＮを介して接続された受信データサーバー２３とを備えている。
【００１１】
この画像送信システムは図４に示すような原稿としての答案紙５０を生徒に作成させ、
多数の答案紙５０を通信回線を用いて一カ所に集約して採点するために利用される。答案
紙５０は予め決められた答案用紙に答案を記入し、生徒認証のための識別ラベル５６を答
案用紙の予め決められた定型領域に貼付することによって作成される。答案用紙には、氏
名記入枠５５、答案記入枠５８，５９，６０、ＯＭＲのためのコーナーマーク５１，５２
，５３、バーコード５４等が予め決められた定型領域に印刷されている。識別ラベル５６
には、生徒の識別番号５６ａとバーコード５６ｂとが予め決められた定型領域に印刷され
ている。生徒は、作成した答案紙５０をイメージスキャナー１３またはファクシミリ２４
に読み取らせ、インターネット通信回線２０または電話回線２５を通じて受信データサー
バー２３に答案紙５０の画像データを送信することができる。
【００１２】
２．構成
本発明の一実施形態としてのクライアントＰＣ１は、図２に示す答案送信プログラム１
００を実行することによってスキャン画像生成装置として機能する。クライアントＰＣ１
は、答案送信プログラム１００、スキャナー制御プログラム２００、ＯＳ等の各種のコン
ピュータープログラムが格納されているハードディスク装置（ＨＤＤ）８、答案送信プロ
グラム１００、スキャナー制御プログラム２００、ＯＳ等がロードされるＲＡＭ２、答案
送信プログラム１００、スキャナー制御プログラム２００、ＯＳ等を実行するＣＰＵ３、
起動プログラムが格納されているＲＯＭ６、これらを接続するためのインターフェイス（
Ｉ／Ｆ）５等を備える。インターフェイス５には、クライアントＰＣ１を操作するための
ディスプレイ１０、マウス１１、キーボード１２の他、イメージスキャナー１３と、デー
タをインターネット通信回線２０に送信するためのモデム１４とが接続される。
【００１３】
スキャン画像生成プログラムとしての答案送信プログラム１００は、図４に示すように
設問に対する答案が答案記入枠５８，５９，６０に手書きされた答案紙５０からイメージ
スキャナー１３で画像データを読み取って受信データサーバー２３に送信するためのアプ
リケーションプログラムである。答案送信プログラム１００は、ＵＩ（User Interface）
モジュール１０１、第一読み取り制御モジュール１０３、解析モジュール１０４、第二読
み取り制御モジュール１０５、合成送信モジュール１０６等によって構成されている。
【００１４】
ＵＩモジュール１０１は、ＧＵＩ（Graphical User Interface）を構成し、ディスプレ
イ１０、マウス１１およびキーボード１２を介してユーザーの指示を受け付け、ユーザー
の指示に応じた処理を起動する機能を実現するためのプログラム部品である。第一読み取
り制御モジュール１０３は、第一読み取り制御手段としてＣＰＵ３を機能させ、ユーザー
による答案送信指示に応じてスキャナー制御プログラム２００と通信を開始し、イメージ
スキャナー１３によって予め決められた第一条件で原稿から読み取られた第一画像データ
をＲＡＭ２の所定領域に格納させる機能を実現するプログラム部品である。解析モジュー
ル１０４は、解析手段としてＣＰＵ３を機能させ、第一画像データに表れる手書き文字の
濃度を解析する機能を実現するプログラム部品である。第二読み取り制御モジュール１０
５は、第二読み取り制御手段としてＣＰＵ３を機能させ、解析された手書き文字の濃度に
基づいて読み取り濃度を含む第二条件をスキャナー制御プログラム２００に設定し、スキ
ャナー制御プログラム２００と通信することによってイメージスキャナー１３によって第
二条件で原稿から読み取られた第二画像データをＲＡＭ２の所定領域に格納させる機能を
実現するプログラム部品である。合成送信モジュール１０６は、ＣＰＵ３を合成手段とし
て機能させ、第一画像データと第二画像データとを合成した第三画像データを生成し、モ
デム１４を制御することによって第三画像データをモデム１４を介してインターネット通
信回線２０に送信する機能を実現するためのプログラム部品である。
【００１５】
スキャナー制御プログラム２００は、ＴＷＡＩＮを介して他のコンピュータープログラ
ムと通信し、イメージスキャナー１３を制御して画像データを原稿から読み取らせるため
のコンピュータープログラムである。スキャナー制御プログラム２００は、ＴＷＡＩＮを
介して他のコンピュータープログラムと通信し、イメージスキャナー１３を制御して画像
データを原稿から読み取らせるための制御モジュール２０１、ＵＩモジュール２０２等に
よって構成されている。ＵＩモジュール２０２は、読み取り領域、解像度、読み取り濃度
、階調数等の読み取り条件をユーザーに設定させるためのＧＵＩを構成し、設定された読
み取り条件を制御モジュール２０１に引き渡すプログラム部品である。
【００１６】
３．画像送信方法
次に上述したように構成されたクライアントＰＣ１によって実行されるスキャン画像生
成方法について図３を参照しながら説明する。
はじめに答案送信プログラム１００のＵＩモジュール１０１が構成するＧＵＩを介して
ユーザーによる答案送信の指示が受け付けられる（Ｓ１００）。答案送信の指示は、例え
ば答案送信プログラム１００の起動直後にイメージスキャナー１３の操作を誘導するメッ
セージとともに送信開始ボタンを配列したウィンドウを表示し、その送信開始ボタンをユ
ーザーに選択させることによって受け付ける。イメージスキャナー１３の操作を誘導する
メッセージとしては、例えば「スキャナーに答案をセットして送信開始ボタンをクリック
してください。」と表示すればよい。
【００１７】
ユーザーによる答案送信の指示が受け付けられると、予め決められた読み取り領域とし
ての第一領域と読み取り条件としての第一条件とが第一読み取り制御モジュール１０３に
よってスキャナー制御プログラム２００に対して設定され、第一画像データの読み取り開
始が指示される（Ｓ１０１）。ここで第一領域は予め決められた答案用紙がイメージスキ
ャナー１３に適正にセットされることを前提として答案用紙の２つの部分領域に対応する
ように設定される。第一領域の一方は、予め決められた答案用紙に印刷された氏名記入枠
５５と、識別ラベル５６を貼り付ける領域として予め決められた領域とを含むように設定
される。第一領域の他方は、氏名記入枠５５に対して答案用紙の重心Ｇを対称点として対
称な領域５５ａと、バーコード５４とを含むように設定される。このように氏名記入枠５
５および領域５５ａを第一領域として設定することにより、答案紙５０がイメージスキャ
ナー１３に逆向きに読み取られる場合でも、氏名記入枠５５に記入される手書きの文字を
第一画像データとして読み取ることができる。第一条件として設定される解像度は予め決
められた形態で表記された識別番号５６ａをＯＣＲによって照合したり、予め決められた
形態で表記されたバーコード５６ｂ、５４をＯＭＲによって解析したりする際にＯＣＲま
たはＯＭＲが確実に成功する程度（２００ｄｐｉより高いことが好ましい。）に設定され
る。また第一条件として設定される階調数は８ビット深度のグレースケールとする。また
第一条件として設定される読み取り濃度は、識別番号やバーコードなど予め印刷された要
素がつぶれずに鮮明に画像データに表れるように設定される。なお、読み取り濃度は電子
シャッターの露光時間や輝度信号の増幅率によって調整される。ユーザーによる設定操作
を介さずに答案送信プログラム１００によって読み取り領域としての第一領域と読み取り
条件としての第一条件とを直接設定するにあたって、ＴＷＡＩＮの"ＵＩ  Ｓｕｐｐｒｅ
ｓｓ"が用いられる。"ＵＩ  Ｓｕｐｐｒｅｓｓ"とは、スキャナー制御プログラム２００
を介してアプリケーションプログラムが直接イメージスキャナーを制御するためのＡＰＩ
である。"ＵＩ  Ｓｕｐｐｒｅｓｓ"を利用すると、スキャナー制御プログラム２００によ
って構成されるＧＵＩを表示させることなく、アプリケーションプログラムが自動的に読
み取り領域や解像度や階調数を設定した上で読み取り開始を指示することができる。
【００１８】
スキャナー制御プログラム２００は、第一読み取り制御モジュール１０３によって読み
取り開始が指示されると、答案送信プログラム１００によって設定された第一条件に従っ
てイメージスキャナー１３によって第一領域から第一画像データを読み取らせ、読み取ら
れた第一画像データをクライアントＰＣ１に取得させる（Ｓ２０１）。図５に示す第一画
像データ７０ａ、７０ｂは、図４に示す答案紙５０がイメージスキャナー１３の原稿台ガ
ラス上に設けられた原稿ガイドの直交する２辺に対して２点が接触するように傾いて載置
された状態において、互いに離れた２つの第一領域から読み取られたものである。
【００１９】
次に解析モジュール１０４によって、答案用紙に予め印刷されている３つのコーナーマ
ーク５１，５２，５３が第一画像データ７０ａ、７０ｂの所定の領域７１，７２，７３，
７４において読み取られているか否かが判定される（Ｓ１０５）。領域７１，７２，７３
，７４は、答案用紙に印刷されるコーナーマーク５１，５２，５３の位置に応じて予め決
められる。領域７１，７２，７３，７４の大きさは、答案紙５０が傾いた状態でイメージ
スキャナー１３によって読み取られることを考慮して、コーナーマーク５１，５２，５３
に対して大きく設定される。コーナーマーク５１，５２，５３の検出は、領域７１，７２
，７３，７４においてパターンマッチングを実行すればよい。３つのコーナーマーク５１
，５２，５３が所定の領域７１，７２，７３，７４において読み取られていない場合、送
信処理が中止され、エラー処理（Ｓ１１４）が実行される。３つのコーナーマーク５１，
５２，５３が所定の領域７１，７２，７３，７４において読み取られていない場合には、
予め決められた答案用紙でない紙を用いて答案紙が作成されていたり、答案紙５０の裏面
が読み取られているなど、第一画像データが不適切に読み取られているからである。
【００２０】
次に、３つのコーナーマーク５１，５２，５３が検出された第一画像データに対して、
原稿用紙の氏名記入枠５５に手書きされ第一画像データに表れた文字の濃さが解析モジュ
ール１０４によって解析される（Ｓ１１０）。
【００２１】
具体的にはまず、氏名記入枠５５に対して決められた第一画像データ７０ａ、７０ｂの
領域７５、７６のいずれかが解析対象として設定される。領域７５，７６は第一画像デー
タ７０ａ、７０ｂの重心ｇを対称点とする点対称な関係にある。答案紙５０が適切な向き
でイメージスキャナー１３に読み取られる場合、領域７５は氏名記入枠５５に対応し、領
域７６は氏名記入枠５５に対して答案用紙の重心Ｇを対称点として対称な領域５５ａに対
応する。３つのコーナーマーク５１，５２，５３が領域７１，７２，７３において検出さ
れている場合には、答案紙５０がイメージスキャナー１３に適切な向きで読み取られてい
るため、領域７５が解析対象となる。３つのコーナーマーク５１，５２，５３が領域７１
，７３、７４において検出されている場合には、答案紙５０がイメージスキャナー１３に
逆向きで読み取られているため、領域７６が解析対象となる。領域７５，７６は、答案紙
５０が傾いた状態でイメージスキャナー１３によって読み取られても、氏名記入枠５５に
手書きされた文字と答案紙５０の地だけが含まれるように氏名記入枠５５より小さい領域
に対して設定することが好ましい。
【００２２】
次に氏名記入枠５５に対応する領域７５または領域７６の濃度について度数分布が導出
される。次に度数分布に基づいて答案用紙の地色でない画素が抽出される。そして、抽出
された画素の平均濃度が手書き文字の濃さとして導出される。
【００２３】
次に第二読み取り制御モジュール１０５によって、解析された手書き文字の濃さに応じ
た読み取り濃度が導出され、導出された読み取り濃度を含む第二条件と第二領域がスキャ
ナー制御プログラム２００に対して設定されるとともに第二画像データの読み取り開始が
指示される（Ｓ１１１）。
【００２４】
第二領域は、第一領域を含まず、すべての答案記入枠５８，５９，６０を含むように設
定される。第二画像データの処理量を低減するため、手書き領域である答案記入枠５８，
５９，６０を含む最小限の範囲に第二領域を限定することが好ましい。本実施形態では図
６に示すように第二領域８２が設定される。すなわち、答案記入枠５８，５９，６０を全
て含み、識別番号５６ａ、バーコード５６ｂ、バーコード５４、コーナーマーク５１，５
２，５３を含む第一領域８１、８３を含まず、第一領域８１、８３と第二領域８２とを合
わせると答案紙５０の全体が重複無く含まれるように第二領域８２が設定される。
【００２５】
第二条件は、答案記入枠５８，５９，６０内に手書きされた文字が鮮明に表れるように
第二画像データを答案紙５０から読み取るための条件である。第二条件には、読み取り濃
度の他、解像度、階調数などが含まれる。第二条件の解像度および階調数は第一条件と一
致させればよい。氏名記入枠５５に対応する第一画像データ７０ａ、７０ｂの領域７５，
７６に表れる手書き文字の濃さに応じた読み取り濃度は、答案記入枠５８，５９，６０に
手書きされた文字を鮮明に読み取れる濃度である。すなわち、氏名記入枠５５，答案記入
枠５８，５９，６０には同一人物の筆跡が記されるため、氏名記入枠５５，答案記入枠５
８，５９，６０に手書きされる文字の濃さや太さや色といった特性はほぼ一定である。し
たがって、氏名記入枠５５に対応する第一画像データ７０ａ、７０ｂの領域７５，７６に
表れる手書き文字が淡すぎる場合には、第一条件の読み取り濃度よりも第二条件の読み取
り濃度を濃く設定すればよい。氏名記入枠５５に対応する第一画像データ７０ａ、７０ｂ
の領域７５，７６に表れる手書き文字が濃すぎる場合には、第一条件の読み取り濃度より
も第二条件の読み取り濃度を淡く設定すればよい。
【００２６】
第二読み取り制御モジュール１０５によって読み取り開始が指示されると、スキャナー
制御プログラム２００は、答案送信プログラム１００によって設定された第二条件に従っ
てイメージスキャナー１３によって第二領域から第二画像データを読み取らせ、読み取ら
れた第二画像データをクライアントＰＣ１に取得させる（Ｓ２０２）。図７に示すように
第二画像データ８０は第一画像データ７０ａ，７０ｂとしては読み取られなかった答案紙
５０の残部全体が表れる画像データとなる。
【００２７】
イメージスキャナー１３によって答案紙５０から読み取られた第二画像データ８０をク
ライアントＰＣ１が取得すると、合成送信モジュール１０６によって第一画像データ７０
ａ、７０ｂと第二画像データ８０とが合成され、第三画像データが生成される（Ｓ１１２
）。具体的には、第一画像データ７０ａ、７０ｂと第二画像データ８０とを図７に示すよ
うに継ぎ合わせることによって第三画像データが生成される。
【００２８】
第三画像データが生成されると、合成送信モジュール１０６によってモデム１４が制御
され、インターネット通信回線２０を介してポスティングサーバー２１に第三画像データ
が送信される（Ｓ１１３）。送信前には、合成送信モジュール１０６によって、回転補正
、２００ｄｐｉ相当への縮小、二値画像への階調数変換、ＴＩＦＦフォーマットへの成形
等が第三画像データに対して施される。ポスティングサーバー２１に送信された画像デー
タは、ポスティングサーバー２１によって専用回線を介して受信データサーバー２３に送
信される。
【００２９】
以上説明したように、予め決められた読み取り条件である第一条件に従って原稿の第一
領域から読み取られた第一画像データに基づいて、第一画像データとしては読み取られな
い原稿の第二領域を表す第二画像データを読み取る条件である第二条件が設定される。す
なわち本発明の実施形態によると、たとえ第一画像データ７０ａ，７０ｂには氏名記入枠
５５に手書きされた文字が鮮明に表れなかったとしても、第一画像データ７０ａ，７０ｂ
の読み取り結果を踏まえて、手書きされた文字が鮮明に表れるように読み取り濃度を変え
て第二画像データ８０を読み取ることができる。そして印刷されたバーコードや文字が鮮
明に表れるように予め決められた第一条件に従って読み取られた第一画像データと、手書
きされた文字が鮮明に読み取られた第二画像データとを合成して第三画像データが生成さ
れる。このように生成される第三画像データには、印刷されたバーコードや文字が鮮明に
表れ、また手書きされた文字や図形も鮮明に表れる。すなわち、本発明の実施形態による
と、原稿の印刷された領域と手書きされた領域のそれぞれの特性に応じた適正な第三画像
データを生成することができる。そしてこのように生成された第三画像データが受信デー
タサーバー２３に送信されるため、受信データサーバーでは、ＯＣＲやＯＭＲといったデ
ータ処理も、第三画像データに表れた答案を採点する作業も、効率よく実行することがで
きる。また、単に読み取り濃度を変えて２つの画像データを原稿から読み取って合成する
のではなく、重複のない領域から読み取った複数の画像データを合成して第三画像データ
を生成するため、第三画像データを生成する処理量を低減できる。なお、印刷されたバー
コードや文字が鮮明に表れるように予め決められた第一条件に従って読み取られた第一画
像データ７０ａ，７０ｂには、氏名記入枠５５に手書きされた文字が鮮明に表れない可能
性もあるが、生徒は識別番号等によっても照合することができるため、特段の問題は生じ
ない。
【００３０】
４．他の実施形態
尚、本発明の技術的範囲は、上述した実施の形態に限定されるものではなく、本発明の
要旨を逸脱しない範囲内において種々変更を加え得ることは勿論である。
例えば、上記実施形態では第一領域を原稿の２つの領域に対応させ、第一領域と第二領
域を合わせて原稿の全体を含むように第一領域と第二領域とを設定したが、第一領域と第
二領域の関係は、第二領域が第一領域の外側にある限り、どのように設定しても良い。図
８に第一領域と第二領域の関係について様々な実施形態を示した。原稿１５の領域Ａには
ＯＣＲやＯＭＲの対象となる文字やバーコードが印刷されており、原稿１５の領域Ｂには
文字や図形が手書きされているとする。
【００３１】
例えば上記実施形態で説明したように答案記入枠５８，５９，６０の全てを含むように
第二領域８２を設定する代わりに、答案記入枠５８を第一領域に含め、答案記入枠５９，
６０を第二領域に含めてもよい。この場合、手書きされた答案の一部が鮮明に表れていな
い第三画像データが生成される可能性はあるものの、図８Ａに示すように手書きされる要
素のうち第一領域に含める割合を小さく、手書きされる要素のうち第二領域に含める割合
を大きくすればよい。すなわち、第二領域を読み取るための第二条件を適切に設定するた
めの解析に必要な程度の広さにおいて第二領域と同様の特性を有する領域を第一領域とし
つつ、第一領域に含まれ第二領域と同様の特性を有する領域をなるべく狭く設定すればよ
い。これにより鮮明に表れない要素の割合を低減しつつ、鮮明に表れる要素の割合を大き
くすることができる。また、図８Ｂに示すように原稿１６が複数ページからなる場合には
、最初の１ページ１６ａ全体を含むように第一領域を設定し、２ページ１６ｂ以後をすべ
て第二領域に含めても良い。この方法はＡＤＦ（Auto Document Feeder）を用いて大量の
原稿を連続処理するような場合に有効である。
【００３２】
また、本発明は予め決められた定型の原稿から第三画像データを生成する場合に限らず
、任意の原稿から画像データを生成する様々な態様に適用することができる。例えば、仮
に手書き文字のみが表されている原稿から画像データを生成する場合であっても、一部の
読み取り結果に基づいて残部の読み取り条件を変更することで手書きされた文字の大部分
が鮮明に表れる画像データを生成することができる。
【００３３】
また、第一領域から読み取られた第一画像データの解析結果によって、第一画像データ
を読み取る第一条件と第二画像データを読み取る第二条件とを一致させてもよいことはい
うまでもない。すなわち、第一領域から読み取られた第一画像データの解析結果に基づい
て、読み取り条件の変更要否を判定しても良い。
【００３４】
さらに第一領域から読み取られた第一画像データの解析結果に基づいて、第一領域から
再度画像データを読み取るとともに再度読み取った画像データと第二領域から読み取った
画像データとを合成して第三画像データを生成しても良い。例えば、第一領域から読み取
られた第一画像データに表れた文字やマークの可読性が許容範囲を超えて低い場合には、
第一画像データの解析結果に基づいて読み取り条件を変えて第一領域から再度画像データ
を読み取っても良い。
【００３５】
また、第一画像データを読み取る条件である第一条件と第二画像データを読み取る条件
である第二条件とにおいて、読み取り濃度以外の項目を第一画像データの解析結果に応じ
て変えても良い。例えば、二値化のための閾値や解像度や階調数を第一条件から変えて第
二条件を設定しても良い。具体的には第一画像データをグレースケールで読み取り、第一
画像データの解析結果に基づいた閾値を用いた二値化によって第二画像データを二値で読
み取っても良い。また第一画像データをカラーで読み取り、第二画像データを二値で読み
取って第三画像データを生成してもよい。この場合、第三画像データを全体としてカラー
のフォーマットで記録しても、データ圧縮によって第二画像データに対応するデータを大
幅に圧縮できるため、データ通信量を低減することができる。さらに第一条件と第二条件
とで設定を変更する項目は１つに限らず、複数の項目を第一画像データの解析結果に基づ
いて設定しても良い。例えば、第二画像データの読み取り濃度と二値化閾値の両方を第一
画像データの解析結果に基づいて設定しても良い。
【００３６】
また第一画像データの解析は、手書き文字の濃度に限らず、解像力（ＭＴＦ）、手書き
文字の太さ、二値画像データにおける黒画素の数、彩度、ＯＣＲまたはＯＭＲの認識率な
ど、解析対象に対応する要素が表れる第二画像データの読み取り条件を適切に設定するこ
とに寄与する指標であれば、どのような指標について解析しても良い。
【００３７】
また、本発明はＰＣに限らず、インターネット通信機能と画像読み取り機能とを備えた
スタンドアロン型のイメージスキャナーや複合機やファクシミリに適用することもできる
。
【符号の説明】
【００３８】
１…クライアントＰＣ、２…ＲＡＭ、３…ＣＰＵ、５…インターフェイス、６…ＲＯＭ、
８…ハードディスク装置、１０…ディスプレイ、１１…マウス、１２…キーボード、１３
…イメージスキャナー、１４…モデム、１５、１６…原稿、１６ａ，１６ｂ…ページ、１
９…ディスプレイ、２０…インターネット通信回線、２１…ポスティングサーバー、２２
…ゲートウェイ、２３…受信データサーバー、２４…ファクシミリ、２５…電話回線、５
０…答案紙、５１，５２，５３…コーナーマーク、５４…バーコード、５５…氏名記入枠
、５５ａ…領域、５６…識別ラベル、５６ａ…識別番号、５６ｂ…バーコード、５８，５
９，６０…答案記入枠、７０ａ，７０ｂ…第一画像データ、７１，７２，７３，７４，７
５，７６…領域、８０…第二画像データ、８１，８３…第一領域、８２…第二領域、１０
０…答案送信プログラム、１０１…ＵＩモジュール、１０３…第一読み取り制御モジュー
ル、１０４…解析モジュール、１０５…第二読み取り制御モジュール、１０６…合成送信
モジュール、２００…スキャナー制御プログラム、２０１…制御モジュール、２０２…Ｕ
Ｉモジュール、Ａ，Ｂ…領域、Ｇ…重心
【図１】
2011135257.tif 000003
【図２】
2011135257.tif 000004
【図３】
2011135257.tif 000005
【図４】
2011135257.tif 000006
【図５】
2011135257.tif 000007
【図６】
2011135257.tif 000008
【図７】
2011135257.tif 000009
【図８】
2011135257.tif 000010